(57)【特許請求の範囲】
【請求項１】
少なくとも座を具備している複数の椅子本体を並列させた状態で使用するものであり、
共通の椅子本体を、床面に対して起立して設けた支柱や、複数の支柱を略水平方向に沿って連結する横架部等の異なる種類の第１、第２の支持体に取り付け得る取付機構を具備しているものであって、
取付機構が、共通の椅子本体を異なる種類の第１、第２の支持体にそれぞれ取り付けるための第１、第２の取付機構から構成されるものであり、前記第１の取付機構が、前記椅子本体に設けた嵌合部を前記第１の支持体に設けた被嵌合部に嵌合させて前記椅子本体を第１の支持体に取り付けるものであるとともに、前記第２の取付機構が、前記椅子本体の嵌合部と前記第２の支持体との間に補助取付ブラケットを介在させた状態で前記椅子本体を第２の支持体に取り付けるものであり、この補助取付ブラケットが、前記嵌合部と対面する側の形状を、前記第１の支持体の被嵌合部の形状と略同形に形成してあることを特徴とする椅子。
【請求項２】
取付機構が、異なる種類の第１、第２の支持体が混在した状態で設けてある場合に、これら第１、第２の支持体に共通の椅子本体を同じ位置関係で取り付け得る第１、第２の取付機構から構成されることを特徴とする請求項１記載の椅子。
【請求項３】
第１の取付機構が、前記嵌合部と対向する位置で前記第１の支持体の外方側に位置し得るように設けた第１の取付ブラケットと、前記第１の取付ブラケット及び嵌合部によりそれぞれ対向する方向から前記第１の支持体を挟み込んだ状態で、前記第１の取付ブラケット、第１の支持体及び嵌合部に設けた貫通孔を通過して、椅子本体側又は第１の支持体側に設けた雌ネジ孔にネジ作用で嵌まるネジ等の取付具を具備していることを特徴とする請求項１又は２記載の椅子。
【請求項４】
第２の取付機構が、前記補助取付ブラケットと対向する位置で前記第２の支持体の外方側に位置し得るように設けた第２の取付ブラケットと、前記第２の取付ブラケット及び補助取付ブラケットによりそれぞれ対向する方向から前記第２の支持体を挟み込んだ状態で、前記第２の取付ブラケット、第２の支持体、補助取付ブラケット及び嵌合部に設けた貫通孔を通過して、椅子本体側又は第２の支持体側に設けた雌ネジ孔にネジ作用で嵌まるネジ等の取付具を具備していることを特徴とする請求項１、２又は３記載の椅子。
【請求項５】
補助取付ブラケットが、前記第２の支持体と対面する側の形状を、前記第２の支持体に外方から嵌合し得るように形成してあることを特徴とする請求項１、２、３又は４記載の椅子。
【請求項６】
第１の支持体又は第２の支持体の何れか一方が、床面に対して起立して設けた支柱であり、他方が、複数の支柱を略水平方向に沿って連結する横架部であることを特徴とする請求項１、２、３、４又は５記載の椅子。
【請求項７】
椅子本体が、前記座と、背もたれとを具備し、これら座と背もたれがそれぞれユニット化してあることを特徴とする請求項１、２、３、４、５又は６記載の椅子。
【請求項８】
座が、座本体と、この座本体を支持する座支持部とを具備してなるとともに、前記背もたれが、背もたれ本体と、この背もたれ本体を支持する背もたれ支持部とを具備し、前記座支持部と背もたれ支持部とがそれぞれ別体であり、前記嵌合部が、前記座支持部又は背もたれ支持部の少なくとも何れか一方に設けてあることを特徴とする請求項７記載の椅子。
【発明の詳細な説明】
【０００１】
【発明の属する技術分野】
本発明は、学校や劇場等で複数の椅子本体を並列させて利用する椅子に関するものである。
【０００２】
【従来の技術】
従来、この種の椅子の椅子本体を複数並列させるには、床面から起立させた複数の支柱を所要の間隔をあけて設け、それら各支柱に各椅子本体を支持させている場合や、複数の支柱を略水平方向に沿って連結する横架部に各椅子本体を取り付けている場合がある。
【０００３】
例えば、支柱の本数を少なくして足元をすっきりとした外観とするとともに清掃等も行い易いものとするには、前記椅子本体を横架部に取り付けるタイプを選択して前記支柱の本数を減少させることが望ましい。一方、例えば、椅子本体を円形配置する場合等には、各支柱にそれぞれ椅子本体を取り付けるタイプの方が配置が行い易いという利点がある。
【０００４】
【発明が解決しようとする課題】
このように、椅子本体の取り付けに際しては、使用状況、配置場所やレイアウト等の条件に合わせて、前記椅子本体を支柱に取り付けるか、又は横架部に取り付けるかを適宜選択するようにしている。
【０００５】
しかしながら、従来は、支柱と横架部の形状が全く異なっている場合が多く、これら支柱又は横架部の形状に合わせて、各椅子本体の構成及び取付構造も全く異なるものとなっていた。すなわち、従来は、支柱又は横架部の何れに取り付けるかによって、全く別構造の椅子本体及び取付機構を採用していた。そのため、施工時、レイアウト上の制約が多く、使用状況や配置場所等の各種条件に対応させて臨機応変に他のバリエーションを取ることが非常に難しいという問題点があった。
【０００６】
このような課題に鑑み、本発明は、支柱や横架部等、種類の異なる支持体に対しても、共通の椅子本体を取り付けることを実現し、施工時のレイアウト制約を少なくして様々な対応に臨機応変に対応し得る椅子を提供することを目的とする。
【０００７】
【課題を解決するための手段】
上述した不具合を解消するために、本発明の椅子は、少なくとも座を具備している複数の椅子本体を並列させた状態で使用するものであり、共通の椅子本体を、床面に対して起立して設けた支柱や、複数の支柱を略水平方向に沿って連結する横架部等の異なる種類の第１、第２の支持体に取り付け得る取付機構を具備している。
【０００８】
このような構成のものであると、支柱や横架部等の種類の異なる支持体の何れにも共通の椅子本体を取り付けることができるので、部材の共通化を図り得るだけでなく、例えば、複数を並列的に配列させた一列のグループの中で、支柱に取り付けるタイプと、横架部に取り付けるタイプ等、異なる種類の支持体に取り付ける態様を混在させることもできる等、施工時のレイアウト制約を少ないものとし、使用状況や配置場所等の各種条件に対応させて、臨機応変に様々なバリエーションを展開することが可能となる。
【０００９】
好適な実施の態様としては、取付機構が、異なる種類の第１、第２の支持体が混在した状態で設けてある場合に、これら第１、第２の支持体に共通の椅子本体を同じ位置関係で取り付け得る第１、第２の取付機構から構成されているものが挙げられる。
【００１０】
簡単な構成で、種類の異なる支持体に共通の椅子本体を取り付け得るようにするために本発明は、取付機構が、共通の椅子本体を異なる種類の第１、第２の支持体にそれぞれ取り付けるための第１、第２の取付機構から構成されるものであり、前記第１の取付機構が、前記椅子本体に設けた嵌合部を前記第１の支持体に設けた被嵌合部に嵌合させて前記椅子本体を第１の支持体に取り付けるものであるとともに、前記第２の取付機構が、前記椅子本体の嵌合部と前記第２の支持体との間に補助取付ブラケットを介在させた状態で前記椅子本体を第２の支持体に取り付けるものであり、この補助取付ブラケットが、前記嵌合部と対面する側の形状を、前記第１の支持体の被嵌合部の形状と略同形に形成してあることを特徴としている。
【００１１】
第１の取付機構の好適な実施の態様としては、前記嵌合部と対向する位置で前記第１の支持体の外方側に位置し得るように設けた第１の取付ブラケットと、前記第１の取付ブラケット及び嵌合部によりそれぞれ対向する方向から前記第１の支持体を挟み込んだ状態で、前記第１の取付ブラケット、第１の支持体及び嵌合部に設けた貫通孔を通過して、椅子本体側又は第１の支持体側に設けた雌ネジ孔にネジ作用で嵌まるネジ等の取付具を具備しているものが挙げられる。
【００１２】
また、第２の取付機構の好適な実施の態様としては、第２の取付機構が、前記補助取付ブラケットと対向する位置で前記第２の支持体の外方側に位置し得るように設けた第２の取付ブラケットと、前記第２の取付ブラケット及び補助取付ブラケットによりそれぞれ対向する方向から前記第２の支持体を挟み込んだ状態で、前記第２の取付ブラケット、第２の支持体、補助取付ブラケット及び嵌合部に設けた貫通孔を通過して、椅子本体側又は第２の支持体側に設けた雌ネジ孔にネジ作用で嵌まるネジ等の取付具を具備しているものが挙げられる。
【００１３】
確実な取付状態を実現するには、補助取付ブラケットが、前記第２の支持体と対面する側の形状を、前記第２の支持体に外方から嵌合し得るように形成してあることが望ましい。
【００１４】
支持体の具体的な実施の態様としては、第１の支持体又は第２の支持体の何れか一方が、床面に対して起立して設けた支柱であり、他方が、複数の支柱を略水平方向に沿って連結する横架部であるものが挙げられる。
【００１５】
取付作業時の取り扱いを容易なものとするには、椅子本体が、前記座と、背もたれとを具備し、これら座と背もたれがそれぞれユニット化してあることが望ましい。
【００１６】
座だけを取り付ける等の対応を取り得るには、座が、座本体と、この座本体を支持する座支持部とを具備してなるとともに、前記背もたれが、背もたれ本体と、この背もたれ本体を支持する背もたれ支持部とを具備し、前記座支持部と背もたれ支持部とがそれぞれ別体であり、嵌合部が、前記座支持部又は背もたれ支持部の少なくとも何れか一方に設けてあることが望ましい。
【００１７】
【発明の実施の形態】
以下、本発明の一実施の形態について説明する。
【００１８】
この椅子１は、図１に示すように、学校等で講義等を行う場合の講義用の机２と組み合わせて利用されるもので、複数の椅子本体５を並列的に配置して使用されるものである。
【００１９】
机２は、図１及び図２に示すように、前後方向に列をなすように複数個配置してなるものであり、巾方向に沿って複数人数分を一体に設けた天板２１と、前記天板２１の幅方向両端部を支持している脚体２２と、これら脚体２２を略水平方向に沿って連結する横架部たるビーム２３とを具備している。前記脚体２２は、床面Fに設けたベース２４と、このベース２４から起立して設けた支柱２５とを具備している。この支柱２５は、横断面略楕円形状の中空体である。また、前記ビーム２３は、その幅方向両端部をネジ等の取付具を利用して取り付ける等の適宜の手段で前記支柱２５に支持させてあるもので、角パイプを利用する等して構成してある。
【００２０】
椅子１は、座３と、背もたれ４とから構成される椅子本体５を具備しており、この椅子本体５は、前記机２において二列目以降の前記支柱２５の前面部に取り付けられ、各前列側の机２と組になって使用されるものである。また、前記座３及び背もたれ４は、それぞれ単体で取り扱い得るようにユニット化してある。
【００２１】
座３は、図２及び図３に示すように、着座者が起立する際、前記床面Ｆに略平行に位置する使用位置から略水平状態で後方に略平行移動するような退避動作をした後、略鉛直方向に起立する起立位置へとライジング動作を行う跳ね上げ式のものであり、薄板状の座本体３１と、この座本体３１の下面に取り付けた座受部３２と、前述した退避動作を行いながらのライジング動作を実現するためのリンク機構３３と、このリンク機構３３を介して座本体３１を前記支柱２５に支持させるための座支持部３４とを具備している。
【００２２】
背もたれ４は、図２及び図３に示すように、利用者の背を支持する薄板状の背もたれ本体４１と、この背もたれ本体４１を支柱２５に支持させるための背もたれ支持部たる背支桿４２とを具備している。背支桿４２は、後方に開口した横断面略半円弧状のものであり、その上端部４２ａに設けた平板状の取付板４２１を前記背もたれ本体４１の裏面にネジ等の取付具を利用して取り付けてある。
【００２３】
このような構成のものにおいて、本実施の形態では、複数の椅子本体５を並列させた状態で、前記支柱２５又は前記ビーム２３の何れかに取り付けるようにしており、共通の椅子本体５を支柱２５又はビーム２３に取り付け得る取付機構Ａを具備している。
【００２４】
本実施の形態では、異なる種類の第１、第２の支持体である支柱２５とビーム２３が一組の椅子１の中に混在した状態で設けてあり、前記取付機構Ａが、これら支柱２５とビーム２３に共通の椅子本体５を同じ位置関係で取り付け得る支柱側取付機構６と、ビーム側取付機構７とから構成されている。この取付機構Ａは、前述したように、前記椅子本体５を前記支柱２５に取り付けるための第１の取付機構たる支柱側取付機構６と、前記椅子本体５を前記ビーム２３に取り付けるための第２の取付機構たるビーム側取付機構７から構成されており、共通の椅子本体５を異なる種類の支持体である支柱２５又はビーム２３に取り付けるべく、前記支柱側取付機構６が、前記椅子本体５に設けた嵌合部６１を前記支柱２５に設けた被嵌合部２５ａに嵌合させて前記椅子本体５を支柱２５に取り付けるものであるとともに、前記ビーム側取付機構７が、前記椅子本体５の嵌合部６１と前記ビーム２３との間に補助取付ブラケット７１を介在させた状態で前記椅子本体５をビーム２３に取り付けるものであり、この補助取付ブラケット７１が、前記嵌合部６１と対面する側の形状を、前記支柱２５の被嵌合部２５ａの形状と略同形に形成してある。
【００２５】
先ず、前記椅子本体５を前記支柱側取付機構６を介して支柱２５に取り付ける場合について説明する。
【００２６】
支柱側取付機構６は、図３及び図４に示すように、前記支柱２５の前面部側に設けた被嵌合部２５ａに嵌合し得るように前記椅子本体５に設けた嵌合部６１と、前記嵌合部６１と対向する位置で前記支柱２５の外方側に嵌合し得るように設けた第１の取付ブラケットたる支柱側取付ブラケット６２と、前記支柱側取付ブラケット６２及び嵌合部６１を前記支柱２５の外方の対応位置に配置した状態で、前記支柱側取付ブラケット６２、支柱２５及び嵌合部６１に設けた貫通孔６２１、２５１、６１１を通過して、椅子本体５側に設けた雌ネジ孔ｎ１にネジ作用で嵌まるネジ等の取付具Ｔを具備している。なお、前記嵌合部６１は、前記背もたれ４の背支桿４２の下端部４２ｂに一体に設けてあり、前記雌ネジ孔ｎ１は、前記背支桿４２の前方側に位置する前記座３の座支持部３４に設けてある。そして、具体的には、前記支柱２５を前後方向から前記嵌合部６１及び支柱側取付ブラケット６２により挟み込むとともに、前記嵌合部６１の前方側に座支持部３４を配置した状態で、後方より挿入したネジ等の取付具Ｔを、前記座支持部３４に設けた雌ネジ孔ｎ１にネジ作用を利用して取り付けることにより前記背もたれ４及び座３を前記支柱２５に取り付けるようにしている。
【００２７】
以下、この支柱側取付機構６を構成する各部の具体的な構成について説明する。
【００２８】
嵌合部６１は、図３及び図４に示すように、前記支柱２５の前面部側に取り付けられるもので、前記背支桿４２の下端部４２ｂ側に一体に設けてある。この嵌合部６１は、具体的には、取付位置で前記支柱２５と対面する側である内周面６１ａの形状が、前記支柱２５の前面部側に設けた被嵌合部２５ａの外周に略沿った状態で該支柱２５の外側から嵌合するように、前記被嵌合部２５ａの横断面形状の外周形状と略同形な半円弧状となっている。また、この嵌合部６１が設けてある背支桿４２の下端部４２ｂの前面部４２ｃは、前記座支持部３４の後壁３４１に突き当たり得るよう略フラットな面となっている。
【００２９】
座支持部３４は、前述したように、前記リンク機構３３を介して座本体３１を支持しているものであり、前記背支桿４２の下端部４２ｂの前面部４２ｃ側に取り付けてある。この座支持部３４は、具体的には、前記背支桿４２の下端部４２ｂの前面部４２ｃに取り付けられる後壁３４１と、この後壁３４１の左右両縁から前方に略９０度屈曲させて延出してなり、前記リンク機構３３を支持させてある左右側壁３４２と、前記後壁３４１の上縁から前方に略９０度屈曲させて延出した頂壁３４３とから構成されるものである。前記後壁３４１には、その上下方向２箇所に前記取付具Ｔを挿入するための貫通孔３４４が設けてあるとともに、その前面側に前記貫通孔３４４と軸心を略一致させた状態で設けた前記雌ネジ孔ｎ１を有するナット部Ｎが溶接等の適宜の手段で取り付けてある。なお、この座支持部３４の後壁３４１の上下方向略中央部及び前記背支桿４２の対応位置には、取付作業時、前記座支持部３４を背支桿４２に仮保持させるためのピンｐを挿入するための挿入孔ｑ、ｒがそれぞれ設けてある。
【００３０】
支柱側取付ブラケット６２は、前記支柱２５の後面部側に取り付けられるもので、横断面略半円弧状である。この支柱側取付ブラケット６２は、前記支柱２５の外方に嵌合し得るように、その内周形状を前記支柱２５の後面部側の外周形状と略同形に形成してある。
【００３１】
取付具Ｔは、先端部にネジ溝ｔ１を有する雄ネジ軸ｔ２と、この雄ネジ軸ｔ２の基端部側に設けた頭部ｔ３とを具備している周知のネジ等を利用しており、前記支柱側取付ブラケット６２の後方から該支柱側取付ブラケット６２、支柱２５、嵌合部６１及び座支持部３４に設けた貫通孔６２１、２５１、６１１、３４４の順に挿入され、そのネジ溝ｔ１を前記座支持部３４の後壁３４１に設けたナット部Ｎの雌ネジ孔ｎ１にネジ作用を利用して取り付けてある。
【００３２】
すなわち、前記椅子本体５を前記支柱２５に取り付ける場合には、先ず、前記背支桿４２の下端部４２ｂの前面部４２ｃ側に前記座支持部３４の後壁３４１を突き当てた状態で、仮保持用の前記ピンｐを前方から前記座支持部３４及び嵌合部６１の挿入孔ｑ、ｒに挿入して、前記座支持部３４を背支桿４２の前面部４２ｃ側に仮保持する。しかる後、前記支柱２５の前面部側にある被嵌合部２５ａに前記嵌合部６１を、前記支柱２５の後面部側に支柱側取付ブラケット６２を外方から挟み込んだ状態で嵌合させ、前記取付具Ｔを前記支柱側取付ブラケット６２の後方から該支柱側取付ブラケット６２、支柱２５、嵌合部６１及び座支持部３４に設けた貫通孔６２１、２５１、６１１、３４４の順に挿入し、そのネジ溝ｔ１を前記座支持部３４の前面に設けたナット部Ｎの雌ネジ孔ｎ１にネジ作用を利用して取り付け、前記背支桿４２と前記座支持部３４を前記支柱２５に取り付ける。このように、前記背もたれ４の一部である背支桿４２と、前記座３の一部である座支持部３４を支柱２５に取り付けることにより、椅子本体５を支柱２５に取り付ける。なお、本実施の形態では、前記座支持部３４を支柱２５に取り付けた後、該座支持部３４に前記リンク機構３３を取り付けて座３を完成させるようにしているが、取付手順は、これに限られない。
【００３３】
次に、前記椅子本体５を前記ビーム側取付機構７を介してビーム２３に取り付ける場合について説明する。
【００３４】
ビーム側取付機構７は、図３及び図４に示すように、前記椅子本体５の嵌合部６１とビーム２３との間に介在する補助取付ブラケット７１と、前記補助取付ブラケット７１と対向する位置で前記ビーム２３の外方側に位置するように設けた第２の取付ブラケットたるビーム側取付ブラケット７２と、前記ビーム側取付ブラケット７２及び補助取付ブラケット７１を前記ビーム２３の外方の対応位置に配置した状態で、前記ビーム側取付ブラケット７２、ビーム２３、補助取付ブラケット７１及び嵌合部６１に設けた貫通孔７２１、２３１、７１１、６１１を通過して、座支持部３４側に設けた雌ネジ孔ｎ１にネジ作用で取り付けるネジ等の取付具Ｔを具備しているものである。すなわち、前記ビーム２３を前後方向から補助取付ブラケット７１とビーム側取付ブラケット７２とにより挟み込むとともに、前記補助取付ブラケット７１の前方側に嵌合部６１及び座支持部３４を配置した状態で、後方より挿入したネジ等の取付具Ｔを、前記座支持部３４に設けた雌ネジ孔ｎ１にネジ作用を利用して取り付けることにより前記背もたれ４及び座３を前記ビーム２３に取り付けるようにしている。
【００３５】
以下、このビーム側取付機構７を構成する各部の具体的な構成について詳述する。なお、前記背支桿４２の下端部４２ｂに設けた嵌合部６１と、座支持部３４及び取付具Ｔの構成は、上述した支柱側取付機構６での構成と同様であるため、同一の符号を付して詳しい説明を省略するものである。
【００３６】
補助取付ブラケット７１は、前記ビーム２３の前面部側に取り付けられるもので、前記ビーム２３の上面部に添え設けられる頂壁７１２と、この頂壁７１２の前縁から略鉛直下方に垂下した垂下壁７１３とから構成される。この補助取付ブラケット７１は、前記ビーム２３と対面する側である後面部側の内周形状を、前記ビーム２３の外方に嵌合し得るように該ビーム２３の前面部側の外周形状と略同形に形成してあるとともに、前記嵌合部６１と対面する側である前面部側に、その外周形状が前記嵌合部６１の内方に嵌合し得るように前記支柱２５の被嵌合部２５ａの外周形状と略同形に形成してある半円状の突出部７１４を具備している。すなわち、この補助取付ブラケット７１は、後面部側である前記内周形状を前記ビーム２３の前面部側に嵌合し得るような略Ｌ字形状とするとともに、前面部側にある前記突出部７１４の外周形状を前記支柱２５の前面部側に設けた被嵌合部２５ａの外周形状と略同形の半円弧状のものとしている。
【００３７】
ビーム側取付ブラケット７２は、前記ビーム２３の後面部側に取り付けられるもので、横断面略前向きコ字形状のものである。具体的には、その内周形状が、前記ビーム２３の後面部側の外周に略沿って該ビーム２３の外側から嵌合し得るような形状となっている。
【００３８】
このような構成のものにおいて、前記椅子本体５をビーム２３に取り付ける場合には、先ず、前記背支桿４２の下端部４２ｂの前面部４２ｃ側に座支持部３４を突き当てた状態で、仮保持用の前記ピンｐを前方から前記座支持部３４及び嵌合部６１の挿入孔ｑ、ｒに挿入して、前記座支持部３４を背支桿４２の前面部４２ｃ側に仮保持する。しかる後、前記ビーム２３の前面部側に補助取付ブラケット７１を、前記ビーム２３の後面部側にビーム側取付ブラケット７２を外方から挟み込んだ状態で嵌合させ、前記取付具Ｔを前記ビーム側取付ブラケット７２の後方から該ビーム側取付ブラケット７２、ビーム２３、補助取付ブラケット７１、嵌合部６１及び座支持部３４に設けた貫通孔７２１、２３１、７１１、６１１、３４４の順に挿入し、そのネジ溝ｔ１を前記座支持部３４の後壁３４１に設けたナット部Ｎの雌ネジ孔ｎ１にネジ作用を利用して取り付け、前記背もたれ４の一部である背支桿４２と前記座３の一部である座支持部３４を前記ビーム２３に取り付ける。
【００３９】
このような構成のものであると、支柱２５やビーム２３等の種類の異なる支持体の何れにも共通の椅子本体５を取り付けることができるので、部材の共通化を図り得るだけでなく、例えば、本実施の形態のように、複数の椅子本体５を並列的に配列させた一列のグループの中で、支柱２５に取り付けるタイプと、ビーム２３に取り付けるタイプ等、異なる種類の支持体に取り付ける態様を混在させることもできる等、施工時のレイアウト制約を少ないものとし、使用状況や配置場所等の各種条件に対応させて、臨機応変に様々なバリエーションを展開することが可能となる。
【００４０】
また、取付機構Ａが、異なる種類の第１、第２の支持体である支柱２５とビーム２３が混在した状態で設けてある場合に、これら支柱２５とビーム２３に共通の椅子本体５を同じ位置関係で取り付け得る支柱側取付機構６、ビーム側取付機構７から構成されているので、一組の椅子１の中に、異なる種類の支持体を混在させることができ、使用態様の自由度が高くなる。
【００４１】
また、取付機構が、共通の椅子本体５を異なる種類の支持体である支柱２５、ビーム２３にそれぞれ取り付けるための支柱側取付機構６、ビーム側取付機構７から構成されるものであり、前記支柱側取付機構６が、前記椅子本体５に設けた嵌合部６１を前記支柱２５に設けた被嵌合部２５ａに嵌合させて前記椅子本体５を支柱２５に取り付けるものであるとともに、前記ビーム側取付機構７が、前記椅子本体５の嵌合部６１と前記ビーム２３との間に補助取付ブラケット７１を介在させた状態で前記椅子本体５をビーム２３に取り付けるものであり、この補助取付ブラケット７１が、前記嵌合部６１と対面する側の形状を、前記支柱２５の被嵌合部２５ａの形状と略同形に形成してあるので、補助取付ブラケット７１を利用するという非常に簡単な構成で、種類の異なる支持体に共通の椅子本体５を取り付けることが可能となる。
【００４２】
支柱側取付機構６が、前記嵌合部６１と対向する位置で前記支柱２５の外方側に位置し得るように設けた支柱側取付ブラケット６２と、前記支柱側取付ブラケット６２及び嵌合部６１によりそれぞれ対向する方向から前記支柱２５を挟み込んだ状態で、前記支柱側取付ブラケット６２、支柱２５及び嵌合部６１に設けた貫通孔６２１、２５１、６１１を通過して、椅子本体５側に設けた雌ネジ孔ｎ１にネジ作用で嵌まるネジ等の取付具Ｔを具備しているので、簡単な構成で、確実に椅子本体５を支柱２５に取り付けることが可能となる。
【００４３】
また、ビーム側取付機構７が、前記補助取付ブラケット７１と対向する位置で前記ビーム２３の外方側に位置し得るように設けたビーム側取付ブラケット７２と、前記ビーム側取付ブラケット７２及び補助取付ブラケット７１によりそれぞれ対向する方向から前記ビーム２３を挟み込んだ状態で、前記ビーム側取付ブラケット７２、ビーム２３、補助取付ブラケット７１及び嵌合部６１に設けた貫通孔７２１、２３１、７１１、６１１を通過して、椅子本体５側に設けた雌ネジ孔ｎ１にネジ作用で嵌まるネジ等の取付具Ｔを具備しているので、簡単な構成で、確実に椅子本体５をビーム２３に取り付けることが可能となる。
【００４４】
補助取付ブラケット７１が、前記ビーム２３と対面する側の形状を、前記ビーム２３に外方から嵌合し得るように形成してあるので、確実な取付状態を実現することができる。
【００４５】
椅子本体５が、前記座３と、背もたれ４とを具備し、これら座３と背もたれ４がそれぞれユニット化してあるので、取付作業時の取り扱いを容易なものとすることが可能である。
【００４６】
座３が、座本体３１と、この座本体３１を支持する座支持部３４とを具備してなるとともに、前記背もたれ４が、背もたれ本体４１と、この背もたれ本体４１を支持する背支桿４２とを具備し、前記座支持部４３と背支桿４２とがそれぞれ別体であるので、これら座３と背もたれ４とを独立させたタイプへの展開も可能となる。
【００４７】
なお、本発明における構成は、以上説明したものに限定されないのは勿論である。例えば、本実施の形態では、補助取付ブラケットをビーム側に利用したが、これに限定されず、椅子本体の嵌合部の形状をビームに設けた被嵌合部の形状に対応させた場合には、支柱と椅子本体との間に、椅子本体と対面する側である外周形状をビームの被嵌合部の形状に対応させた補助取付ブラケットを介在させるようにしてもよい。また、本実施の形態では、第１の支持体が支柱であり、第２の支持体がビームである場合について説明したが、支持体の種類はこれに限定されない。その他の構成も本発明の趣旨を逸脱しない範囲で種々変形が可能である。
【００４８】
【発明の効果】
本発明は、以上説明したような構成で実施され以下に記載されるような効果を奏する。
【００４９】
すなわち、本発明は、共通の椅子本体を、床面に対して起立して設けた支柱や、複数の支柱を略水平方向に沿って連結する横架部等の異なる種類の第１、第２の支持体に取り付け得る取付機構を具備しているので、施工時のレイアウト制約を少ないものとし、使用状況や配置場所等の各種条件に対応させて臨機応変に他のバリエーションを展開することが可能となる。
【００５０】
また、取付機構が、異なる種類の第１、第２の支持体が混在した状態で設けてある場合に、これら第１、第２の支持体に共通の椅子本体を同じ位置関係で取り付け得る第１、第２の取付機構から構成されるならば、一組の椅子の中に、異なる種類の支持体を混在させることができ、使用態様の自由度が高くなる。
【００５１】
さらに、取付機構が、共通の椅子本体を異なる種類の第１、第２の支持体にそれぞれ取り付けるための第１、第２の取付機構から構成されるものであり、前記第１の取付機構が、前記椅子本体に設けた嵌合部を前記第１の支持体に設けた被嵌合部に嵌合させて前記椅子本体を第１の支持体に取り付けるものであるとともに、前記第２の取付機構が、前記椅子本体の嵌合部と前記第２の支持体との間に補助取付ブラケットを介在させた状態で前記椅子本体を第２の支持体に取り付けるものであり、この補助取付ブラケットが、前記嵌合部と対面する側の形状を、前記第１の支持体の被嵌合部の形状と略同形に形成してあるならば、補助取付ブラケットを利用するという非常に簡単な構成で、種類の異なる支持体に共通の椅子本体を取り付けることが可能となる。
【００５２】
第１の取付機構が、前記嵌合部と対向する位置で前記第１の支持体の外方側に位置し得るように設けた第１の取付ブラケットと、前記第１の取付ブラケット及び嵌合部によりそれぞれ対向する方向から前記第１の支持体を挟み込んだ状態で、前記第１の取付ブラケット、第１の支持体及び嵌合部に設けた貫通孔を通過して、椅子本体側又は第１の支持体側に設けた雌ネジ孔にネジ作用で嵌まるネジ等の取付具を具備しているならば、簡単な構成で、確実に椅子本体を支持体に取り付けることが可能となる。
【００５３】
また、第２の取付機構が、前記補助取付ブラケットと対向する位置で前記第２の支持体の外方側に位置し得るように設けた第２の取付ブラケットと、前記第２の取付ブラケット及び補助取付ブラケットによりそれぞれ対向する方向から前記第２の支持体を挟み込んだ状態で、前記第２の取付ブラケット、第２の支持体、補助取付ブラケット及び嵌合部に設けた貫通孔を通過して、椅子本体側又は第２の支持体側に設けた雌ネジ孔にネジ作用で嵌まるネジ等の取付具を具備しているならば、簡単な構成で、確実に椅子本体を支持体に取り付けることが可能となる。
【００５４】
補助取付ブラケットが、前記第２の支持体と対面する側の形状を、前記第２の支持体に外方から嵌合し得るように形成してあるならば、簡単な構成で確実な取付状態を実現することができる。
【００５５】
椅子本体が、前記座と、背もたれとを具備し、これら座と背もたれがそれぞれユニット化してあるならば、取付作業時の取り扱いを容易なものとすることが可能である。
【００５６】
座が、座本体と、この座本体を支持する座支持部とを具備してなるとともに、前記背もたれが、背もたれ本体と、この背もたれ本体を支持する背もたれ支持部とを具備し、前記座支持部と背もたれ支持部とがそれぞれ別体であり、前記嵌合部が、前記座支持部又は背もたれ支持部の少なくとも何れか一方に設けてあるならば、座だけを独立して取り付ける等の対応も容易に取ることが可能となる。
【図面の簡単な説明】
【図１】本発明の一実施の形態における一使用態様を示す全体斜視図。
【図２】同側面図。
【図３】同分解斜視図。
【図４】同要部を示す平断面図。
【符号の説明】
１…椅子
２３…横架部（ビーム）
２３１…貫通孔
２５…支柱
２５ａ…被嵌合部
２５１…貫通孔
３…座
３１…座本体
３４…座支持部
３４４…貫通孔
４…背もたれ
４１…背もたれ本体
４２…背もたれ支持部（背支桿）
５…椅子本体
６…第１の取付機構（支柱側取付機構）
６１…嵌合部
６１１…貫通孔
６２…第１の取付ブラケット（支柱側取付ブラケット）
６２１…貫通孔
７…第２の取付機構（ビーム側取付機構）
７１…補助取付ブラケット
７１１…貫通孔
７２…第２の取付ブラケット（ビーム側取付ブラケット）
７２１…貫通孔
Ａ…取付機構
Ｆ…床面
ｎ１…雌ネジ孔
Ｔ…取付具
【図１】
0004859310.tif 000002
【図２】
0004859310.tif 000003
【図３】
0004859310.tif 000004
【図４】
0004859310.tif 000005